(57)【要約】【課題】任意の大きさの高品質の用紙を供給して画像を形成することができる給紙装置を提供することである。【解決手段】実施形態の給紙装置は、ロール紙収容部と、カール矯正部と、切断部と、を持つ。ロール紙収容部は、ロール紙を収容可能である。カール矯正部は、ロール紙から繰り出された用紙の搬送方向においてロール紙収容部の下流側に配置され、用紙のカールを矯正する。切断部は、搬送方向においてカール矯正部の下流側に配置され、用紙を切断する。【選択図】図２
2018122984.tif 000002
【特許請求の範囲】
【請求項１】
ロール紙を収容可能なロール紙収容部と、
前記ロール紙から繰り出された用紙の搬送方向において前記ロール紙収容部の下流側に配置され、前記用紙のカールを矯正するカール矯正部と、
前記搬送方向において前記カール矯正部の下流側に配置され、前記用紙を切断する切断部と、を有する、
給紙装置。
【請求項２】
前記搬送方向において前記カール矯正部の上流側に配置され、前記用紙に付着するラベルからにじみ出た粘着糊を除去する糊除去部を有する、
請求項１記載の給紙装置。
【請求項３】
前記切断部は、
搬送中の前記用紙を切断するロータリーカッターと、
前記搬送方向において前記ロータリーカッターの上流側および下流側にそれぞれ配置され、前記ロータリーカッターの位置で前記用紙を平面状にして搬送する第１の搬送ローラと、
を有する、
請求項１または２記載の給紙装置。
【請求項４】
前記搬送方向において前記切断部の下流側に配置され、前記用紙を外部に送り出す出口に向けて、前記第１の搬送ローラによる前記用紙の搬送速度よりも速い搬送速度又は同じ速度で前記用紙を搬送する第２の搬送ローラを有する、
請求項３記載の給紙装置。
【請求項５】
前記搬送方向において前記切断部の下流側に配置され、前記用紙を外部に送り出す出口に向けて前記用紙を搬送する第２の搬送ローラと、
前記切断部により前記用紙を切断した後に、前記第２の搬送ローラによる前記用紙の搬送速度を増加させることが可能な制御部と、を有する、
請求項３記載の給紙装置。
【請求項６】
前記搬送方向において前記切断部の下流側に配置され、前記切断部で切断された不要な用紙を収容する排紙箱を有する、
請求項１から５のいずれか一項に記載の給紙装置。
【請求項７】
前記搬送方向において前記切断部の下流側に配置され、前記用紙を前記搬送方向に案内する第１姿勢と、前記用紙を前記排紙箱の方向に案内する第２姿勢との間で、姿勢を切り替え可能なフラッパを有する、
請求項６記載の給紙装置。
【発明の詳細な説明】
【技術分野】
【０００１】
本発明の実施形態は、給紙装置に関する。
【背景技術】
【０００２】
画像形成装置は、所定の大きさの用紙に画像を形成する。任意の大きさの高品質の用紙を供給して画像を形成できる画像形成装置が求められている。
【先行技術文献】
【特許文献】
【０００３】
【特許文献１】特開平６−４８６２８号公報
【発明の概要】
【発明が解決しようとする課題】
【０００４】
本発明が解決しようとする課題は、任意の大きさの高品質の用紙を供給して画像を形成することができる給紙装置を提供することである。
【課題を解決するための手段】
【０００５】
実施形態の給紙装置は、ロール紙収容部と、カール矯正部と、切断部と、を持つ。ロール紙収容部は、ロール紙を収容可能である。カール矯正部は、ロール紙から繰り出された用紙の搬送方向においてロール紙収容部の下流側に配置され、用紙のカールを矯正する。切断部は、搬送方向において前記カール矯正部の下流側に配置され、用紙を切断する。
【図面の簡単な説明】
【０００６】
【図１】画像形成装置の概略構成例を示す側面断面図。
【図２】実施形態の給紙装置の概略構成例を示す側面断面図。
【図３】カール矯正部を示す側面図。
【図４】カール矯正部の第１変形例を示す側面図。
【図５】カール矯正部の第２変形例を示す側面図。
【図６】ロータリーカッターの斜視図。
【図７】回転歯および回転歯支持部材の斜視図。
【発明を実施するための形態】
【０００７】
以下、実施形態の給紙装置を、図面を参照して説明する。本願においてＸＹＺ方向は以下のように定義される。Ｚ方向は鉛直方向であり、Ｘ方向およびＹ方向は水平方向である。Ｚ方向は画像形成装置の上下方向（高さ方向）であり、＋Ｚ方向は上方向である。Ｘ方向は画像形成装置の前後方向（奥行方向）であり、＋Ｘ方向は前方向である。Ｙ方向は画像形成装置の左右方向（幅方向）である。
【０００８】
図１は、画像形成装置１の概略構成例を示す側面断面図である。例えば、画像形成装置１は複合機（ＭＦＰ：Multi Function Peripheral）である。画像形成装置１は、用紙などの複写対象物の画像情報を読み取り、デジタルデータ（画像ファイル）を生成する。画像形成装置１は、デジタルデータに基づいて、記録剤を用いて用紙上に画像を形成する。記録剤の具体例は、トナーである。記録剤は、消色性記録剤と非消色性記録剤とのうちのいずれかである。
【０００９】
消色性記録剤として使用されるトナーは、外部からエネルギーを加えられることで消色する機能を持つ。外部からエネルギーを加えられることとは、温度、特定波長の光、圧力などの外的刺激が加えられることである。本実施形態における「消色」とは、用紙の下地の色とは異なる色（有彩色のみならず白色及び黒色などの無彩色を含む）で形成された画像を、視覚的に見えなくすることを意味する。
【００１０】
画像形成装置１の構成について説明する。
図１に示すように、画像形成装置１は、画像形成装置本体１ａと、給紙装置３０と、を有する。画像形成装置本体１ａは、筐体２と、表示部３と、スキャナ部４と、給紙部１０と、プリンタ部２０と、排紙部１８と、本体制御部７と、を有する。本体制御部７は、表示部３、スキャナ部４、給紙部１０、プリンタ部２０および排紙部１８の動作を制御する。
【００１１】
筐体（機体、ケース）２は、画像形成装置本体１ａの外郭を形成する。
表示部３は、画像形成装置本体１ａの上面に配置される。表示部３は、タッチパネル等を備える。表示部３は、画像形成に関する各種の情報を表示する。
スキャナ部４は、画像形成装置本体１ａの上部に配置される。スキャナ部４は、複写対象物の画像情報を光の明暗として読み取る。スキャナ部４は、読み取った画像情報をプリンタ部２０に出力する。
【００１２】
給紙部１０は、定型サイズの用紙を供給および搬送する。給紙部１０は、給紙カセット１２と、ピックアップローラ１４と、搬送ローラ１５と、レジストローラ１６と、を有する。
【００１３】
給紙カセット１２は、画像形成装置本体１ａの下部に配置されている。給紙カセット１２は、画像形成前の定型サイズの用紙を収容する。ピックアップローラ１４は、給紙カセット１２から用紙を１枚ずつ取り出す。ピックアップローラ１４は、用紙を搬送ローラ１５に向けて供給する。
【００１４】
搬送ローラ１５は、ピックアップローラ１４から供給された用紙を、レジストローラ１６に向けて搬送する。搬送ローラ１５は、後述する給紙装置３０から供給された用紙を、レジストローラ１６に向けて搬送する。レジストローラ１６は、搬送された用紙の先端を一時的に受け止めて、用紙の傾きを補正する。レジストローラ１６は、用紙をプリンタ部２０に供給する。
【００１５】
プリンタ部２０は、画像形成装置本体１ａの中央部に配置されている。プリンタ部２０は、スキャナ部４または外部からの画像情報に基づいて、トナー等の現像剤により用紙に画像を形成する。プリンタ部２０は、トナーカートリッジ収容部２９と、画像形成部２１と、中間転写体２７と、二次転写ローラ２６と、定着装置２８と、を有する。
【００１６】
トナーカートリッジ収容部２９は、イエロー（２９Ｙ）、マゼンタ（２９Ｍ）、シアン（２９Ｃ）、ブラック（２９Ｋ）の各色のトナーが充填されたトナーカートリッジを収容する。
【００１７】
画像形成部２１は、イエロー（２１Ｙ）、マゼンタ（２１Ｍ）、シアン（２１Ｃ）、ブラック（２１Ｋ）の各色の画像を形成する。画像形成部２１は、感光体ドラム２２と、帯電器２３と、露光装置２４と、現像装置２５と、を有する。
【００１８】
感光体ドラム２２は、円柱状に形成されている。感光体ドラム２２の外周面には、感光体材料が配置されている。感光体材料は、暗い状態では静電気を保持し、光が照射された部分だけ静電気を放出する性質を有する。感光体ドラム２２は、中心軸の周りを所定方向に回転する。
【００１９】
帯電器２３は、感光体ドラム２２の表面に静電気を帯電させる。例えば、帯電器２３は複数の針電極を備えている。複数の針電極は、感光体ドラム２２の回転軸方向に並んで配置されている。帯電器２３は、複数の針電極からの放電により、感光体ドラム２２の表面に静電気を帯電させる。
【００２０】
露光装置２４は、感光体ドラム２２の表面に、画像情報に対応する静電潜像を形成する。例えば、露光装置２４はレーザ照射装置を備えている。レーザ照射装置は、画像情報に基づいて、回転する感光体ドラム２２の表面にレーザを照射する。感光体ドラム２２の表面のうち、レーザが照射された部分は静電気を放出し、それ以外の部分は静電気を保持する。これにより露光装置２４は、感光体ドラム２２の表面に、画像情報に対応する静電潜像を形成する。
【００２１】
現像装置２５は、感光体ドラム２２の表面にトナーを供給し、静電潜像をトナーで現像する。トナーカートリッジ収容部２９に収容されたトナーカートリッジから現像装置２５にトナーが供給される。現像装置２５の内部には、トナーとキャリアとを含む２成分現像剤が収納される。キャリアは、現像装置２５から感光体ドラム２２にトナーを受け渡す。感光体ドラム２２の表面のうち、露光により静電気を放出し部分だけが、マイナスに帯電したトナーを吸着する。これにより現像装置２５は、感光体ドラム２２の表面の静電潜像をトナーで現像する。
【００２２】
中間転写体２７は、無端ベルトである。中間転写体２７は、各色の画像を形成する画像形成部２１に沿って配置される。中間転写体２７の外面は、感光体ドラム２２に近接して配置される。中間転写体２７の内側からプラスの電圧が印加される。マイナスに帯電したトナーが感光体ドラム２２から中間転写体２７に乗り移る。これにより感光体ドラム２２のトナー像が中間転写体２７に転写される。中間転写体２７には、各色のトナー像が重なって配置される。
【００２３】
二次転写ローラ２６は、中間転写体２７と並んで配置される。二次転写ローラ２６は、搬送された用紙を中間転写体２７に押し付ける。二次転写ローラ２６は、用紙の裏側からプラスの電圧を印加する。マイナスに帯電したトナーが中間転写体２７から用紙に乗り移る。これにより二次転写ローラ２６は、中間転写体２７のトナー像を用紙に転写させる。
【００２４】
定着装置２８は、トナー像を用紙に定着させる。例えば、定着装置２８は加熱ローラと加圧ローラとを備えている。トナー像が転写された用紙は、加熱ローラと加圧ローラとの間に形成されたニップを通過する。加熱ローラはトナーを加熱し、加圧ローラはトナーを用紙に向かって加圧する。トナーは、紛体から液体に相変化し、用紙の繊維内に浸透する。トナーは、冷却されて固化し、用紙に定着する。これにより定着装置２８は、トナー像を用紙に定着させる。以上により、用紙に画像が形成される。
【００２５】
排紙部１８は、排紙ローラ１８ａと、排紙トレイ１８ｂと、を有する。排紙ローラ１８ａは、画像形成後の用紙を排紙トレイ１８ｂに排出する。排紙トレイ１８ｂは、画像形成後の用紙を堆積させる。例えば、排紙トレイ１８ｂはスキャナ部４とプリンタ部２０との間に配置されている。
【００２６】
給紙装置３０は、画像形成装置本体１ａに用紙を供給する。給紙装置３０は、画像形成装置本体１ａの下方に配置される。給紙装置３０は、平面視において画像形成装置本体１ａと同等の大きさである。給紙装置３０は、画像形成装置本体１ａに対して着脱可能である。給紙装置３０は、ＰＦＰ（Paper Feed Pedestal）またはＬＣＦ（Large Capacity Feeder）と置き換えて使用できる。
【００２７】
給紙装置３０の構成について説明する。
図２は、実施形態の給紙装置の概略構成例を示す側面断面図である。
給紙装置３０は、ロール紙３５から繰り出されて切断された用紙Ｓを画像形成装置本体１ａに供給する。ロール紙３５は、用紙が巻回されたものである。用紙は、印字面を内側または外側に向けて巻回される。例えば、用紙Ｓは普通紙またはラベル紙である。ラベル紙は、ラベルと、粘着糊と、台紙と、を有する。粘着糊は、ラベルと台紙との間に配置される。
【００２８】
給紙装置３０は、ケース３２と、カセット３４と、を有する。ケース３２は、給紙装置３０の外郭を形成する。ケース３２は、下方にキャスタ３３を有する。ケース３２は、用紙Ｓを外部に送り出す出口３８を有する。出口３８は、ケース３２の上面に形成される。出口３８は、ケース３２のＹ方向の第１端部に配置される。カセット３４は、ロール紙３５を収容可能なロール紙収容部である。カセット３４は、ケース３２のＹ方向の第２端部に配置される。カセット３４と出口３８とは、Ｙ方向に間隔を置いて配置される。カセット３４は、ケース３２から水平方向に引き出し可能である。ロール紙３５は、ケース３２から引き出されたカセット３４に収容される。
【００２９】
給紙装置３０は、モータ３６と、制御部３７と、を有する。モータ３６は、以下に説明する各種ローラを回転駆動して、ロール紙３５から繰り出された用紙Ｓを搬送する。制御部３７は、給紙装置３０の構成部材の動作を制御する。
【００３０】
給紙装置３０は、ロール紙３５から繰り出された用紙Ｓの搬送方向（単に「搬送方向」と言う。）に沿って、ガイドローラ４１と、給紙ローラ４２と、糊除去部４４と、カール矯正部５０と、切断部６０と、用紙廃棄部８０と、出口部９０とを、この順番で有する。
【００３１】
ガイドローラ４１は、ロール紙３５から引き出された用紙Ｓを給紙ローラ４２に案内する。ガイドローラ４１は、カセット３４またはケース３２に支持される。
給紙ローラ４２は、ロール紙３５から用紙Ｓを繰り出して搬送する。給紙ローラ４２は、カセット３４またはケース３２に支持される。給紙ローラ４２は、駆動ローラと、従動ローラと、を有する。駆動ローラおよび従動ローラは、用紙Ｓを挟んで配置される。駆動ローラは、モータ３６により回転駆動される。従動ローラは、駆動ローラの回転に従って回転する。
【００３２】
糊除去部４４は、用紙Ｓがラベル紙の場合に、ラベルの周囲ににじみ出た粘着糊を除去する。糊除去部４４は、カセット３４またはケース３２に支持される。糊除去部４４は、カセット３４またはケース３２に対して着脱可能であってもよい。これにより糊除去部４４は、用紙がラベル紙以外の場合に、カセット３４またはケース３２から取り外される。糊除去部４４は、搬送方向の下流側の各部材に粘着糊が付着するのを防止する。糊除去部４４は、カール矯正部５０の上流側に配置される。これにより糊除去部４４は、カール矯正部５０に粘着糊が付着するのを防止する。糊除去部４４は、画像形成装置本体１ａの構成部材に粘着糊が付着するのを防止する。糊除去部４４は、カール矯正部５０の下流側に配置されてもよい。
【００３３】
カール矯正部５０は、カセット３４またはケース３２に支持される。カール矯正部５０は、ロール紙３５から繰り出された用紙Ｓのカールを矯正する。用紙Ｓのカールは、用紙Ｓの搬送経路における用紙詰まりの原因となる。カール矯正部５０は、カール矯正部５０の下流側における用紙詰まりを防止する。カール矯正部５０は、切断部６０の上流側に配置される。これによりカール矯正部５０は、切断部６０における用紙詰まりを防止する。カール矯正部５０は、画像形成装置本体１ａにおける用紙詰まりを防止する。
【００３４】
図３は、カール矯正部を示す側面図である。ロール紙３５から繰り出された用紙Ｓは、特定の方向にカールしている。カール矯正部５０は、用紙Ｓをカールと逆方向に湾曲させて、用紙Ｓのカールを矯正する。カール矯正部５０は、剛体ローラ５２と、弾性体ローラ５４と、を有する。剛体ローラ５２は、外周面が硬質材料で形成される。弾性体ローラ５４は、外周面が軟質材料で形成される。剛体ローラ５２を弾性体ローラ５４に押し当てると、弾性体ローラ５４の外周面が湾曲する。カール矯正部５０は、剛体ローラ５２と弾性体ローラ５４との間に用紙Ｓを挟んで、用紙Ｓをカールと逆方向に湾曲させる。
【００３５】
図４は、カール矯正部の第１変形例を示す側面図である。第１変形例のカール矯正部１５０は、剛体ローラ１５２と、ベルト機構１５４と、を有する。ベルト機構１５４は、無端ベルト１５５と、一対の端部ローラ１５６ａ，１５６ｂと、を有する。無端ベルト１５５は、一対の端部ローラ１５６ａ，１５６ｂに架け渡される。一対の端部ローラ１５６ａ，１５６ｂの間の無端ベルト１５５に剛体ローラ１５２を押し付けると、無端ベルト１５５が湾曲する。カール矯正部１５０は、剛体ローラ１５２と無端ベルト１５５との間に用紙Ｓを挟んで、用紙Ｓをカールと逆方向に湾曲させる。
【００３６】
図５は、カール矯正部の第２変形例を示す側面図である。第２変形例のカール矯正部２５０は、剛体ローラ２５２と、用紙支持機構２５４と、を有する。用紙支持機構２５４は、一対の支持ローラ２５６ａ，２５６ｂを有する。一対の支持ローラ２５６ａ，２５６ｂは、剛体ローラ２５２を間に挟んで、離間して配置される。一対の支持ローラ２５６ａ，２５６ｂで用紙Ｓを持ち上げると、用紙Ｓが剛体ローラ２５２の外周面に沿って配置される。カール矯正部２５０は、剛体ローラ２５２の外周面に用紙Ｓを押し付けて、用紙Ｓをカールと逆方向に湾曲させる。
【００３７】
図２に示す切断部６０は、用紙Ｓを搬送しながら切断する。切断部６０は、ケース３２に支持される。切断部６０は、一対の切断部搬送ローラ（第１の搬送ローラ）６０ａ，６０ｂと、ロータリーカッター６１と、を有する。
【００３８】
一対の切断部搬送ローラ６０ａ，６０ｂは、上流側搬送ローラ６０ａと、下流側搬送ローラ６０ｂと、を有する。上流側搬送ローラ６０ａは、搬送方向においてロータリーカッター６１の上流側に配置される。下流側搬送ローラ６０ｂは、搬送方向においてロータリーカッター６１の下流側に配置される。各切断部搬送ローラ６０ａ，６０ｂは、駆動ローラと、従動ローラと、を有する。駆動ローラおよび従動ローラは、用紙Ｓを挟んで配置される。駆動ローラは、モータ３６により回転駆動される。従動ローラは、駆動ローラの回転に従って回転する。各切断部搬送ローラ６０ａ，６０ｂは、駆動ローラと従動ローラとの間のニップに用紙Ｓを挟んで搬送する。一対の切断部搬送ローラ６０ａ，６０ｂのニップは、相互に平行に配置される。これにより用紙Ｓは、一対の切断部搬送ローラ６０ａ，６０ｂの間で平面状に保持される。一対の切断部搬送ローラ６０ａ，６０ｂは、ロータリーカッター６１の位置で用紙Ｓを平面状にして搬送する。一対の切断部搬送ローラ６０ａ，６０ｂは、制御部３７により用紙Ｓの搬送速度を制御される。制御部３７は、ロータリーカッター６１で用紙Ｓを切断可能な上限速度以下に、一対の切断部搬送ローラ６０ａ，６０ｂによる用紙Ｓの搬送速度を制御する。
【００３９】
図６は、ロータリーカッターの斜視図である。ロータリーカッター６１は、固定歯６４と、回転歯６６と、モータ７０と、クラッチ７８と、ソレノイド７９と、を有する。
【００４０】
固定歯６４は、長方形の板状に形成される。固定歯６４の長手方向の両端部は、一対のフレーム６１ａ，６１ｂに固定される。各フレーム６１ａ，６１ｂは、平板状に形成される。一対のフレーム６１ａ，６１ｂは、相互に平行に配置される。
【００４１】
図７は、回転歯および回転歯支持部材の斜視図である。回転歯６６は、回転歯支持部材６８に支持される。回転歯支持部材６８は、円柱状に形成される。回転歯６６は、回転歯支持部材６８の外周面に沿って配置される。回転歯６６は、回転歯支持部材６８の軸方向の第１端部から第２端部にかけて、らせん状に伸びる。図６に示すように、回転歯支持部材６８は、一対のフレーム６１ａ，６１ｂの間に配置される。回転歯支持部材６８は、一対のフレーム６１ａ，６１ｂにより回転可能に支持される。回転歯支持部材６８の回転軸６８ａ（図７参照）には、回転歯プーリ７６が装着される。
【００４２】
モータ７０は、一対のフレーム６１ａ，６１ｂのうち第１フレーム６１ａに固定される。モータ７０の回転軸には、モータプーリ７２が装着される。モータプーリ７２と回転歯プーリ７６との間に、ベルト７４が架け渡される。これにより、モータ７０から回転歯６６へのトルク伝達が可能になる。モータ７０は、制御部３７により動作を制御される。これにより制御部３７は、回転歯６６の回転速度を制御する。
【００４３】
クラッチ７８は、回転歯プーリ７６と回転歯支持部材６８との間の回転軸６８ａに配置される。クラッチ７８は、回転歯プーリ７６と回転歯支持部材６８との間のトルク伝達経路を接続および遮断する。
ソレノイド７９は、クラッチ７８を接続および遮断する。ソレノイド７９は、制御部３７により動作を制御される。
【００４４】
ロータリーカッター６１は、以下のように用紙Ｓを切断する。用紙Ｓは、回転歯支持部材６８と固定歯６４との間に挿通される。制御部３７は、用紙Ｓの搬送中はモータ７０を駆動する。制御部３７は、用紙Ｓを切断しないときはソレノイド７９を介してクラッチ７８を遮断する。これにより回転歯６６は回転しない。制御部３７は、用紙Ｓを切断するときにソレノイド７９を介してクラッチ７８を接続する。これにより、モータ７０のトルクが回転歯支持部材６８に伝達され、回転歯６６が回転する。制御部３７は、用紙Ｓの搬送速度に対応させて回転歯６６の回転速度を制御する。回転歯６６は、固定歯６４との間に用紙Ｓを挟み込んで切断する。回転歯６６がらせん状に形成されているので、搬送中の用紙Ｓは搬送方向に対して垂直に切断される。図２に示す一対の切断部搬送ローラ６０ａ，６０ｂは、ロータリーカッター６１の位置で用紙Ｓを平面状にして搬送する。これによりロータリーカッター６１は、搬送中の用紙Ｓを直線状に切断する。
【００４５】
用紙廃棄部８０は、切断部６０で切断された不要な用紙Ｓを収容する。用紙廃棄部８０は、ケース３２に支持される。用紙廃棄部８０は、排紙箱８２と、フラッパ８４と、を有する。
【００４６】
排紙箱８２は、用紙Ｓの搬送経路の下方に配置される。排紙箱８２は、上面が開口する。
フラッパ８４は、図２に実線で示す第１姿勢と、破線で示す第２姿勢との間で、姿勢を切り替え可能である。第１姿勢は、用紙Ｓを搬送方向に案内する姿勢である。第２姿勢は、用紙Ｓを排紙箱８２の方向に案内する姿勢である。フラッパ８４は、制御部３７により動作を制御される。ロール紙３５から繰り出された用紙Ｓの先端は、切断部６０により切断される。用紙詰まりを起こした用紙Ｓの先端も、切断部６０により切断される。これらの場合に、切断位置の下流側の用紙Ｓは不要である。制御部３７は、フラッパ８４を第２姿勢にして、下流側の用紙Ｓを排紙箱８２の方向に案内する。下流側の用紙Ｓは、排紙箱８２に収容されて廃棄される。切断位置の上流側の用紙Ｓは、画像形成に使用される。制御部３７は、フラッパ８４を第１姿勢にして、上流側の用紙Ｓを搬送方向に案内する。上流側の用紙Ｓは、画像形成装置本体１ａに給紙される。
【００４７】
出口部９０は、用紙Ｓを外部に送り出す出口３８に向けて用紙Ｓを搬送する。出口部９０は、ケース３２に支持される。出口部９０は、複数の出口ローラ（第２の搬送ローラ）９３，９４，９５を有する。複数の出口ローラ９３，９４，９５は、第３搬送ローラ９３と、第４搬送ローラ９４と、第５搬送ローラ９５と、を有する。各出口ローラ９３，９４，９５は、駆動ローラと、従動ローラと、を有する。駆動ローラおよび従動ローラは、用紙Ｓを挟んで配置される。駆動ローラは、モータ３６により回転駆動される。従動ローラは、駆動ローラの回転に従って回転する。出口部９０は、制御部３７により用紙Ｓの搬送速度を制御される。制御部３７は、切断部６０で用紙Ｓを切断しているときは、切断部６０および出口部９０における用紙Ｓの搬送速度Ｖ１を、ロータリーカッター６１で用紙Ｓを切断可能な上限速度以下に制御する。この搬送速度Ｖ１より、画像形成装置本体１ａにおける用紙Ｓの搬送速度Ｖ２の方が、速い場合がある。給紙装置３０は、出口３８において画像形成装置本体１ａに対して搬送速度Ｖ２で用紙Ｓを受け渡す。制御部３７は、切断部６０で用紙Ｓを切断した後に、出口部９０における用紙Ｓの搬送速度を、Ｖ１からＶ２まで加速させる。制御部３７は、切断部６０で用紙Ｓを切断した後に、出口ローラ９３，９４，９５による用紙Ｓの搬送速度を増加させる。このとき、出口ローラ９３，９４，９５による用紙Ｓの搬送速度は、切断部搬送ローラ６０ａ，６０ｂによる用紙Ｓの搬送速度より速い。
【００４８】
実施形態の給紙装置３０は、カセット３４と、カール矯正部５０と、切断部６０と、を有する。カセット３４は、ロール紙３５を収容可能である。カール矯正部５０は、ロール紙３５から繰り出された用紙Ｓの搬送方向においてロール紙３５の下流側に配置され、用紙Ｓのカールを矯正する。切断部６０は、搬送方向においてカール矯正部５０の下流側に配置され、用紙Ｓを切断する。この給紙装置３０は、ロール紙３５から繰り出された用紙Ｓを切断する切断部６０を有するので、任意の大きさの用紙Ｓを画像形成装置本体１ａに給紙できる。この給紙装置３０は、切断部６０の上流側に配置されたカール矯正部５０を有するので、カールが矯正された用紙Ｓを切断部６０に供給できる。これにより給紙装置３０は、切断部６０での用紙詰まりを防止できる。
【００４９】
給紙装置３０は、用紙Ｓに付着するラベルからにじみ出た粘着糊を除去する糊除去部４４を有するので、糊除去部４４の下流側に粘着糊が付着するのを防止できる。糊除去部４４は、搬送方向においてカール矯正部５０の上流側に配置される。これにより給紙装置３０は、カール矯正部５０に粘着糊が付着するのを防止できる。
【００５０】
切断部６０は、搬送中の用紙Ｓを切断するロータリーカッター６１を有する。これにより給紙装置３０は、用紙Ｓを切断するため用紙Ｓの搬送を停止させないので、給紙速度を向上できる。切断部６０は、搬送方向においてロータリーカッター６１の上流側および下流側にそれぞれ配置された切断部搬送ローラ６０ａ，６０ｂを有する。ロータリーカッター６１の前後に切断部搬送ローラ６０ａ，６０ｂを配置することにより、用紙Ｓを切断する時の位置ズレを防止できる。切断部搬送ローラ６０ａ，６０ｂは、ロータリーカッター６１の位置で用紙Ｓを平面状にして搬送する。これによりロータリーカッター６１は、用紙Ｓを直線状に切断できる。したがって給紙装置３０は、所定の形状に切断された高品質の用紙を供給できる。
【００５１】
ロータリーカッター６１は、固定歯６４と、回転歯６６と、モータ７０と、クラッチ７８と、を有する。モータ７０は、回転歯６６を回転させる。クラッチ７８は、モータ７０から回転歯６６へのトルク伝達経路を接続および遮断する。これによりロータリーカッター６１は、用紙Ｓを任意の位置で切断できる。
【００５２】
給紙装置３０は、搬送方向において切断部６０の下流側に配置された出口ローラ９３，９４，９５を有する。出口ローラ９３，９４，９５は、用紙Ｓを外部に送り出す出口３８に向けて用紙Ｓを搬送する。制御部３７は、切断部６０により用紙Ｓを切断した後に、出口ローラ９３，９４，９５による用紙Ｓの搬送速度を増加させる。このとき出口ローラ９３，９４，９５は、切断部搬送ローラ６０ａ，６０ｂによる用紙Ｓの搬送速度よりも速い搬送速度で用紙Ｓを搬送する。これにより給紙装置３０は、画像形成装置本体１ａにおける用紙Ｓの搬送速度に合わせて、出口３８から画像形成装置本体１ａに用紙Ｓを供給できる。
【００５３】
給紙装置３０は、搬送方向において切断部６０の下流側に配置された排紙箱８２を有する。排紙箱８２は、切断部６０で切断された不要な用紙Ｓを収容する。給紙装置３０は、搬送方向において切断部６０の下流側に配置されたフラッパ８４を有する。フラッパ８４は、用紙Ｓを搬送方向に案内する第１姿勢と、用紙Ｓを排紙箱８２の方向に案内する第２姿勢との間で、姿勢を切り替え可能である。これにより給紙装置３０は、不要な用紙Ｓを回収できる。
【００５４】
ロール紙３５を収容するカセット３４は、用紙Ｓを外部に送り出す出口３８が形成された第１端部とは反対側の第２端部に配置される。これにより、ロール紙３５から出口３８までの距離が確保されるので、給紙装置３０のレイアウトの自由度が向上する。特に、切断部６０から出口３８までの距離が確保されるので、出口ローラ９３，９４，９５により用紙Ｓを十分に加速できる。
【００５５】
画像形成装置１は、給紙装置３０と、画像形成装置本体１ａと、を有する。画像形成装置本体１ａは、給紙装置３０から供給された用紙Ｓに画像を形成する。これにより画像形成装置１は、任意の大きさの用紙Ｓに画像を形成できる。画像形成装置１は、給紙装置３０で用紙Ｓを切断してから画像形成装置本体１ａに用紙Ｓを供給する。これにより画像形成装置１は、切断位置より上流側の用紙Ｓが画像形成装置本体１ａに残るのを防止できる。したがって画像形成装置１は、用紙Ｓが中間転写体２７や定着装置２８に接触した状態のまま放置されるのを防止できる。
【００５６】
実施形態の給紙装置３０は、モータ３６により各ローラを回転駆動する構成とした。これに対して各ローラは、それぞれ別のモータで回転駆動されてもよい。
画像形成装置本体１ａの構成は一例であり、他の構成を採用してもよい。
【００５７】
以上説明した少なくとも１つの実施形態によれば、給紙装置３０は、ロール紙３５から繰り出された用紙Ｓを切断する切断部６０を持つことにより、任意の大きさの用紙Ｓを画像形成装置本体１ａに給紙できる。この給紙装置３０は、切断部６０の上流側に配置されたカール矯正部５０を持つことにより、用紙の搬送路における用紙詰まりを防止できる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
Ｓ…用紙、１…画像形成装置、１ａ…画像形成装置本体、３０…給紙装置、３４…カセット（ロール紙収容部）、３５…ロール紙、３７…制御部、３８…出口、４４…糊除去部、５０…カール矯正部、６０…切断部、６０ａ，６０ｂ…切断部搬送ローラ（第１の搬送ローラ）、６１…ロータリーカッター、６４…固定歯、６６…回転歯、７０…モータ、７８…クラッチ、８２…排紙箱、８４…フラッパ、９３，９４，９５…出口ローラ（第２の搬送ローラ）。
【図１】
2018122984.tif 000003
【図２】
2018122984.tif 000004
【図３】
2018122984.tif 000005
【図４】
2018122984.tif 000006
【図５】
2018122984.tif 000007
【図６】
2018122984.tif 000008
【図７】
2018122984.tif 000009